(57)【要約】【課題】複数ビーム（２ビーム以上）の排他点灯制御時の画素の位置ずれを容易に低減することができるようにする。【解決手段】搬送ベルト２上に補正対象となるＬＤによってテストパターンを書き込み（Ｓ１）、書き込まれたテストパターンは図示搬送ベルト２に対向した配置された図示しないセンサによって読み取られ（Ｓ２）、ドットの相対的なズレが検出され、ＬＤ（光源）間の点灯位相情報が取得される（Ｓ３）。点灯制御基板１０１では、ステップＳ３で取得された光源間の点灯位相情報に基づき、基準となるＬＤ（光源）に対して位置ずれが生じない逓倍クロックを選択し、ドット位置を補正する。【選択図】図７
2009039932.tif 000002
【特許請求の範囲】
【請求項１】
複数のビームを出力するように構成された発光源と、
前記発光源の各ビームの点灯を制御する制御手段と、
前記発光源からの複数の光ビームを走査する光走査手段と、
を備えた光ビーム走査装置において、
前記複数のビームが同時に点灯しないように前記発光源を制御する場合に、前記光走査手段によって走査され、書き込まれる画素の位置ずれを低減する手段を備えていることを特徴とする光ビーム走査装置。
【請求項２】
請求項１記載の光ビーム走査装置において、
前記低減する手段は、前記ビームの数がＮ本のとき、各ビームの点灯信号のデューティ比が（１／Ｎ）×１００［％］以下であり、画素クロックの周期内で各ビームの点灯信号の位相をシフトすることを特徴とする光ビーム走査装置。
【請求項３】
請求項２記載の光ビーム走査装置において、
前記各ビームの点灯信号の位相のシフトが、Ｎ本のビームを有する光源の場合、（画素クロックの周期）／Ｎであることを特徴とする光ビーム走査装置。
【請求項４】
請求項３記載の光ビーム走査装置において、
書込み周波数以下のドット位置を補正する手段を有することを特徴とする光ビーム走査装置。
【請求項５】
請求項３記載の光ビーム走査装置において、
それぞれのビームごとに異なる光学系を用意し、各ビーム間でのドット位置を予め１／Ｎドット分だけ主走査方向にずらしておくことを特徴とする光ビーム走査装置。
【請求項６】
請求項３記載の光ビーム走査装置において、
各ビームの１画素内での点灯パルスの位置を前記ビームごとに指定することを特徴とする光ビーム走査装置。
【請求項７】
請求項６記載の光ビーム走査装置において、
前記ビームが第１及び第２の２本のビームの場合、各ビームの１画素内での点灯パルスの位置を、第１のビームは右寄せ、第２のビームは左寄せとすることを特徴とする光ビーム走査装置。
【請求項８】
請求項６記載の光ビーム走査装置において、
前記ビームが第１ないし第３の３本のビームの場合、各ビームの１画素内での点灯パルスの位置を、第１のビームは右寄せ、第２のビームは中寄せ、第３のビームは左寄せとすることを特徴とする光ビーム走査装置。
【請求項９】
請求項６記載の光ビーム走査装置において、
４本以上のビームの場合、画素クロック内での点灯パルス位置が最も左にあるビームのパルスは右寄せにし、画素クロック内での点灯パルス位置が最も右にあるビームのパルスは左寄せにし、それ以外のビームのパルスは中寄せとすることを特徴とする光ビーム走査装置。
【請求項１０】
請求項１ないし９のいずれか１項に記載の光ビーム走査装置を備えていることを特徴とする光書込み装置。
【請求項１１】
請求項１０記載の光書込み装置を備えていることを特徴とする画像形成装置。
【発明の詳細な説明】
【技術分野】
【０００１】
本発明は、像担持体上に光ビームを走査して潜像を形成するための光ビーム走査装置、この光ビーム走査装置を備えた光書き込み装置、及びこの光書き込み装置を備えた複写機、プリンタ、ファクシミリ、これらの機能を複合して備えた複合機、及び印刷機などの画像形成装置に関する。
【背景技術】
【０００２】
複写機などに使用される電子写真方式の画像形成装置では、光ビームを出射する光源を用い、この光源を画像情報に応じて変調し、感光体上に露光することにより潜像を形成している。潜像はトナーにより顕像化され、記録媒体に転写することにより可視像として出力される。そのため、複数の光ビームを出力することができる光源を使用すれば、より多くの画像データを短時間に露光することができ、書き込み速度を向上させることができる。
【０００３】
しかし、このように複数のビームを出力することができる光源では、２以上のビームを同時に点灯させてしまうと少なくとも１つのビームの熱的、電気的弊害を他のビームに及ぼす虞があり、前記弊害は画質の低下につながってしまう。
【０００４】
そこで、例えば特許文献１記載の発明では、同時に作動する一組の走査ビームを、データクロック信号の前半と後半に分け、それぞれのタイミングで、１つのＬＤの点灯制御を行っており、その点灯を完全に排他的にすることで、同時点灯時の弊害を防止している。
【０００５】
また、特許文献２記載の発明では、では、同期検知信号と基準信号の位相差に基づいて副走査方向の位置ずれを検出し、位置ずれを補正するように感光体または中間転写ベルトを回転するステッピングモータの駆動クロック周波数を可変制御し、ビームの書き出し順切り替えを行うことなく画像の位置ずれを防止している。
【特許文献１】特開平１０−５１６０１号公報
【特許文献２】特開２００２−０７２６０７号公報
【発明の開示】
【発明が解決しようとする課題】
【０００６】
前記特許文献１記載の発明では、ビームごとのドット位置がずれることがあり、このずれをスキュー補正により補正するする方法も提案されている。しかし、この方法では一般的に物理的にビーム光路を変更する必要があり、物理的にビーム光路を変更すると、意図しない副走査方向のドット位置の変更が生じる虞がある。
【０００７】
また、引用文献２記載の発明では、感光体または中間転写ベルトを回転するステッピングモータの駆動クロック周波数を可変制御しているが、感光体や中間転写ベルト自身の寸法誤差もあり、ドット単位で補正することは難しい。
【０００８】
そこで、本発明が解決しようとする課題は、複数ビーム（２ビーム以上）の排他点灯制御時の画素の位置ずれを容易に低減することができるようにすることにある。
【課題を解決するための手段】
【０００９】
前記課題を解決するため、第１の手段は、複数のビームを出力するように構成された発光源と、前記発光源の各ビームの点灯を制御する制御手段と、前記発光源からの複数の光ビームを走査する光走査手段と、を備えた光ビーム走査装置において、前記複数のビームが同時に点灯しないように前記発光源を制御する場合に、前記光走査手段によって走査され、書き込まれる画素の位置ずれを低減する手段を備えていることを特徴とする。
【００１０】
第２の手段は、第１の手段において、前記低減する手段が、前記ビームの数がＮ本のとき、各ビームの点灯信号のデューティ比が（１／Ｎ）×１００［％］以下であり、画素クロックの周期内で各ビームの点灯信号の位相をシフトすることを特徴とする。
【００１１】
第３の手段は、第２の手段において、前記各ビームの点灯信号の位相のシフトが、Ｎ本のビームを有する光源の場合、（画素クロックの周期）／Ｎであることを特徴とする。
【００１２】
第４の手段は、第３の手段において、書込み周波数以下のドット位置を補正する手段を有することを特徴とする。
【００１３】
第５の手段は、第３の手段において、それぞれのビームごとに異なる光学系を用意し、各ビーム間でのドット位置を予め１／Ｎドット分だけ主走査方向にずらしておくことを特徴とする。
【００１４】
第６の手段は、第３の手段において、各ビームの１画素内での点灯パルスの位置を前記ビームごとに指定することを特徴とする。
【００１５】
第７の手段は、第６の手段において、前記ビームが第１及び第２の２本のビームの場合、各ビームの１画素内での点灯パルスの位置を、第１のビームは右寄せ、第２のビームは左寄せとすることを特徴とする。
【００１６】
第８の手段は、第６の手段において、前記ビームが第１ないし第３の３本のビームの場合、各ビームの１画素内での点灯パルスの位置を、第１のビームは右寄せ、第２のビームは中寄せ、第３のビームは左寄せとすることを特徴とする。
【００１７】
第９の手段は、第６の手段において、４本以上のビームの場合、画素クロック内での点灯パルス位置が最も左にあるビームのパルスは右寄せにし、画素クロック内での点灯パルス位置が最も右にあるビームのパルスは左寄せにし、それ以外のビームのパルスは中寄せとすることを特徴とする。
【００１８】
第１０の手段は、第１ないし第９のいずれかの手段に係る光ビーム走査装置を光書き込み装置が備えていることを特徴とする。
【００１９】
第１１の手段は、第１０の手段に係る光書き込み装置を画像形成装置が備えていることを特徴とする。
【００２０】
なお、後述の実施形態では、発光源は光源ＬＤ１，ＬＤ２、ＬＤユニット３１，３２，４１，４２に、制御手段は点灯制御基板１０１，１１１，１２１、ＬＤ制御基板＿ＢＫ５３、ＬＤ制御基板＿Ｙ５４、ＬＤ制御基板＿Ｃ５２、ＬＤ制御基板＿Ｍ５５に、光走査手段は光学系８−１，８−２、光書き込み部Ｂに、それぞれ対応する。
【発明の効果】
【００２１】
本発明によれば、複数のビームが同時に点灯しないように前記発光源を制御する場合に、前記光走査手段によって走査され、書き込まれる画素の位置ずれを低減する手段を備えているので、複数ビーム（２ビーム以上）の排他点灯制御時の画素の位置ずれを容易に低減することができる
【発明を実施するための最良の形態】
【００２２】
以下、図面を参照し、本発明の実施形態について説明する。
【００２３】
図１は本発明の実施形態に係る直接転写方式のタンデム型画像形成装置の概略構成を示す図である。同図において、画像形成装置は、画像形成部Ａ、光書き込み部Ｂ、転写部Ｃ、及び定着部Ｄから基本的に構成されている。
【００２４】
画像形成部Ａは、Ｙ（イエロー）、Ｍ（マゼンタ）、Ｃ（シアン）、Ｋ（ブラック）の画像を形成する第１ないし第４の作像ユニットＵＹ，ＵＭ，ＵＣ，ＵＫからなる。各色の作像ユニットＵＹ，ＵＭ，ＵＣ，ＵＫは、転写紙１を搬送する搬送ベルト２に沿って前記順序で、かつ所定の間隔で一列に配置されている。搬送ベルト２は、一方が駆動ローラに、他方が従動ローラに設定された搬送ローラ３，４間に架設され、搬送ローラ３，４の回転により矢印方向に回転駆動される。図示搬送ベルト２の下部には、転写紙１が収納された給紙トレイ５が備えられている。
【００２５】
収納された転写紙１のうち最上位置にある転写紙１は、画像形成時に前記画像形成部Ａに給紙される。転写紙１は給紙途中において、レジストセンサ１４により先端部が検知され、この検知出力に基づいて各作像ユニットＵＹ，ＵＭ，ＵＣ，ＵＫとの作像及び給紙タイミングが取られる。転写紙１は静電吸着によって搬送ベルト２上に吸着される。吸着された転写紙１は、第１の作像ユニットＵＹに搬送され、ここでイエローの画像形成が行われる。第１の作像ユニットＵＹは、感光体ドラム６Ｙと感光体ドラム６Ｙの周囲に配置された帯電器７Ｙ、現像器９Ｙ、感光体クリーナ１０Ｙから構成されている。感光体ドラム６Ｙの表面は、帯電器７Ｙによって一様に帯電された後、光書き込み部Ｂの露光部８Ｙによりイエローの画像に対応したレーザー光１１Ｙで露光され、静電潜像が形成される。なお、露光部８Ｙは各色毎に光書き込みが可能な後述の光学ユニットからなる。
【００２６】
感光体ドラム６Ｙ上に形成された静電潜像は現像器９Ｙによって現像され、感光体ドラム６Ｙ上にトナー像が形成される。このトナー像は感光体ドラム６Ｙと搬送ベルト２上の転写紙１と接する位置（転写位置）で転写器１２Ｙによって転写され、転写紙上に単色（イエロー）の画像が形成される。転写が終わった感光体ドラム６Ｙは、ドラム表面に残った不要なトナーが感光体クリーナ１０Ｙによってクリーニングされ、次の画像形成に備えることとなる。
【００２７】
このように、第１の作像ユニットＵＹで単色（イエロー）を転写された転写紙１は、搬送ベルト２によって第２の作像ユニットＵＭに搬送される。ここでも、同様に感光体ドラム６Ｍ上に形成されたトナー像（マゼンタ）は、転写紙１上に重ねて転写される。転写紙１は、さらに第３の作像ユニットＵＣ、第４の作像ユニットＵＫに搬送され、同様のプロセスで形成されたトナー像を重畳し、カラー画像を形成してゆく。第４の作像ユニットＵＫを通過してカラー画像が形成された転写紙１は、搬送ベルト２から剥離され、定着器１３で加熱加圧して定着された後、排紙される。
【００２８】
なお、図１における画像形成部Ａでは各作像ユニットＵＹ，ＵＭ，ＵＣ，ＵＫの構成要素は同一なので、同一の構成要素には同一の参照符号を付し、各作像ユニットＵＹ，ＵＭ，ＵＣ，ＵＫの相違は各色の色を示すＹ，Ｍ，Ｃ，Ｋを添え字として付けることによって示している。
【００２９】
図２は本実施形態における光書き込み部内部の光学ユニットの概略を示す図で、図１における光書き込み部Ｂを上から見た図である。画像形成に必要となる光ビームは、ＬＤユニットＢＫ３１、ＬＤユニットＹ３２、ＬＤユニットＣ４２、ＬＤユニットＭ４３中に存在するＬＤ制御基板＿ＢＫ５３、ＬＤ制御基板＿Ｙ５４、ＬＤ制御基板＿Ｃ５２、ＬＤ制御基板＿Ｍ５５それぞれに搭載されるＬＤから出力される。
【００３０】
ＬＤユニットＢＫ３１およびＬＤユニットＹ３２からの光ビームはシリンダレンズＣＹＬ＿ＢＫ３３、ＣＹＬ＿Ｙ３４を通り、反射ミラーＢＫ３５および反射ミラーＹ３６によってポリゴンミラー３７の下側の面に入射し、ポリゴンミラー３７が回転することにより偏向され、ｆθレンズＢＫＣ３８およびｆθレンズＹＭ３９を通り、ミラーＢＫ４０およびミラーＹ４１によって折り返される。
【００３１】
一方、ＬＤユニットＣ４２およびＬＤユニットＭ４３からの光ビームは、ＣＹＬ＿Ｃ４４およびＣＹＬ＿Ｍ４５を通り、ポリゴンミラー３７の上側の面に入射し、ポリゴンミラー３７が回転することにより偏向され、ｆθレンズＢＫＣ３８およびｆθレンズＹＭ３９を通り、ミラーＣ４６およびミラーＭ４７によって折り返される。
【００３２】
主走査方向の書き出し位置（Ｂ’、Ｃ’）より光走査方向上流側にシリンダミラーＣＹＭ＿ＢＫＣ４８およびＣＹＭ＿ＹＭ４９さらにはセンサＢＫＣ５０およびセンサＹＭ５１が備わっており、ｆθレンズＢＫＣ３８およびｆθレンズＹＭ３９を通った光ビームがＣＹＭ＿ＢＫＣ４８およびＣＹＭ＿ＹＭ４９によって反射集光されて、センサＢＫＣ５０およびセンサＹＭ５１に入射するような構成となっている。これらのセンサは、主走査方向の同期を取るための同期検知センサである。
【００３３】
また、ＬＤユニットＢＫ３１およびＬＤユニットＣ３２からの光ビームでは、共通のＣＹＭ＿ＢＫＣ４８ならびにセンサＢＫＣ５０を使用している。ＬＤユニットＹ３２およびＬＤユニットＭ４３についても同様である。同じセンサに２色の光ビームが入射することとなるので、各色の光ビームのポリゴンミラー３７への入射角を異なるようにすることによって、それぞれの光ビームがセンサに入射するタイミングを変え、時系列的にパルス列として出力されるようになっている。図からも分かるように、ＢＫとＣおよびＹとＭは逆方向に走査される。
【００３４】
画像形成装置では、光ビームを出力する光源を用いて出力する画像情報を感光体上に露光することによって作像している。そのため、複数の光ビームを出力することができる光源を使用すれば、より多くの画像データを短時間に露光することができ、書き込み速度を向上させることができる。しかし、このように複数のビームを出力することができる光源では、それぞれのビームを同時に点灯させてしまうと片方のビームの熱的・電気的弊害を他のビームに及ぼす虞があり、画質の低下が懸念される。
【００３５】
そこで、前述の特許文献１記載の発明では、同時に作動する一組の走査ビームを、データクロック信号の前半と後半に分けそれぞれのタイミングで、１つのＬＤの点灯制御を行っており、その点灯を完全に排他的にすることによって同時点灯時の弊害を防止している。図３はこの特許文献１に記載された発明におけるＬＤの点灯タイミングと画像との関係を示す図である。しかし、この手法では、ビーム間の走査開始位置がずれる問題がある。そこで、前記ズレを補正するため、スキュー補正する方法も提案しているが、この方法では一般的に物理的ビーム光路を変更する必要があり、意図していない副走査方向のドット位置も変更されてしまう虞がある。このスキュー補正の状態を図４に示す。
【００３６】
本実施形態では、このような問題の発生を伴わずに、複数ビーム（２ビーム以上）の排他点灯制御が行えるようにしたものである。以下、この排他点灯制御について詳細に説明する。
【００３７】
まず、複数のビームを有する光源において各ビームが同時に点灯しないようにする方法について述べる。Ｎ本のビームを有する光源では、各ビームの点灯信号のデューティ比は
（１／Ｎ）×１００［％］
以下であり、画素クロックの周期内で各ビームの点灯信号の位相をシフトすることによって排他点灯制御を実現する。例えば、２本のビームを有する光源ではデューティ５０％であり、３本の場合は３３％である。この状態を図５に示す。この時の点灯信号の位相シフト量は図６に示すように各ビームで
（画素クロックの周期）／Ｎ
である。すなわち、３つのビームでデューティが３３％、ビーム１に対してビーム２の位相シフトが（クロック周期／３）であり、ビーム２に対してビーム３の位相シフトが（クロック周期／３）である。
【００３８】
このように各ビームが同時に点灯しないようにすると、図３に示したようにドットの位置ずれ、ここでは１／３ドットの位置ずれが発生してしまう。そこで、以下、前記位置ずれに対する対処の仕方について実施例を上げて説明する。
【実施例１】
【００３９】
実施例１は書き込み周波数以下でドット位置を補正する例である。  
図７は実施例１の制御構成の概略を示す図である。この例では、図７（ａ）に示すように書き込みクロックの逓倍クロック（図ではクロックＡ，Ｂ，Ｃ）を予め用意しておき、このクロックＡ，Ｂ，Ｃを使用して図７（ｂ）に示すようにしてドット位置を補正する。
【００４０】
図７（ｂ）において、この制御構成では、点灯制御用のＣＰＵもしくはＡＳＩＣを搭載した点灯制御基板１０１によって必要な制御が実施される。この制御では、テストパターンを搬送ベルト２上に出力する。このテストパターンは補正対象となるＬＤによって書き込まれる（ステップＳ１）。書き込まれたテストパターンは図示搬送ベルト２に対向した配置された図示しないセンサによって読み取られ（ステップＳ２）、ドットの相対的なズレが検出され、ＬＤ（光源）間の点灯位相情報が取得される（ステップＳ３）。点灯制御基板１０１では、ステップＳ３で取得された光源間の点灯位相情報に基づき、基準となるＬＤ（光源）に対して位置ずれが生じない逓倍クロック（ここでは前記逓倍クロックＡ，Ｂ，Ｃのいずれか）を選択し、ドット位置を補正する。この実施例では、ＣＰＵもしくはＡＳＩＣが制御手段を構成するが、ＣＰＵでは、ステップＳ１ないし３の処理手順は図示しないＲＯＭにプログラムコードとして書き込んでおき、これをＲＡＭに展開して実行する。ＡＳＩＣでは、予め処理の手順を回路構成により構築し、回路上で実行する。
【００４１】
このように書き込みクロックの逓倍クロックを使用して補正するＬＤの点灯制御を行って位置補正すると、排他点灯制御を行ったとしても基準のＬＤで書き込んだドットに対してドット位置のズレが発生することはない。
【実施例２】
【００４２】
実施例２は、ビームごとに異なる光学系を用意し、予め１／Ｎドット分だけビームスポットを主走査方向にずらして補正する例である。  
図８は実施例２の制御構成の概略を示す図である。図８において、実施例２における制御構成では、点灯制御用のＣＰＵもしくはＡＳＩＣを搭載した点灯制御基板１１１から点灯制御信号が光源搭載基板１１２に出力され、光源搭載基板１１２によって２つの光源ＬＤ１，ＬＤ２の点灯制御が実行される。光学系８−１，８−２は各光源ＬＤ１，ＬＤ２毎に設けられ、図３に示したような排他点灯制御によるドット位置のずれを予め想定して、ずれが生じないように予め調整されている。これにより、予め物理的に画素位置がずれのない位置に設定され、書き込まれたドットは排他点灯制御を実施してもずれることはなく、画素ずれの問題は解消される。
【実施例３】
【００４３】
実施例１及び２では、書き込む画素位置を補正している。これに対し実施例３では、画素の位置ずれが発生しても、画像の不具合の度合い低下させる（画質の低下を防止する）ようにしている。この実施例では、画像の不具合の度合いを低下させるため、複数ビームのそれぞれのビームで、１画素内の点灯パルス位置を指定するようにしている。
【００４４】
図９は２ビームを有する光源の場合に、各ビームの点灯パルス位置を右寄せ及び左寄せにする例を示す図である。ここでは、ビーム１の点灯パルス位置を右寄せし、ビーム２の点灯パルス位置を左寄せして両ビーム１，２間の画像間の距離を近接させた例である。図９において、ビーム１の点灯パルス位置を右寄せし、ビーム２の点灯パルス位置を左寄せすると、ビーム１はパルス位置２０１’で、ビーム２はパルス位置２０２’でビームが書き込まれる。このときのドットの書き込み位置はビーム１では符号２０１”で示す位置、ビーム２では符号２０２”で示す位置になる。これによりドット２０１”と２０２”は近接した位置に位置することになり、ドット位置のずれに起因する画像の不具合を低減することができる。
【００４５】
図１０は３ビームを有する光源の場合に、各ビームの１画素内での点灯パルスの位置を右寄せ、中寄せ、左寄せとする例を示す図である。ここでは、ビーム１を右寄せ（パルス位置３０１’）、ビーム２を中寄せ（パルス位置３０２’）、ビーム３を左寄せ（パルス位置３０３’）する。これにより、ドット３０１”，３０２”，３０３”は近接した位置に書き込まれる。
【００４６】
４ビーム以上のビーム数の場合には、画素クロック内での点灯パルス位置が最も左にあるビームのパルスは右寄せにし、画素クロック内での点灯パルス位置が最も右にあるビームのパルスは左寄せにし、それ以外のビームのパルスは中寄せとすることによってドット位置のずれに起因する画像の不具合を低減することができる。
【００４７】
図１１は図９あるいは図１０に示した書き込む画素位置の補正制御の制御構成を示す図である。この実施例においても点灯制御用のＣＰＵもしくはＡＳＩＣを搭載した点灯制御基板１２１から点灯制御信号が光源搭載基板１２２に出力され、光源搭載基板１２２によって２つの光源ＬＤ１，ＬＤ２の点灯制御が実行される。この制御では、図１２に示すように、テストパターンを搬送ベルト２上に出力する。このテストパターンは補正対象となるＬＤによって書き込まれる（ステップＳ１１）。書き込まれたテストパターンは図示搬送ベルト２に対向した配置された図示しないセンサによって読み取られ（ステップＳ１２）、ドットの相対的なズレが検出され、ＬＤ（光源）間の点灯位相情報が取得される（ステップＳ１３）。点灯制御基板１２１では、ステップＳ３で取得された光源間の点灯位相情報に基づき、光源ＬＤ１、ＬＤ２間の点灯位相を補正する。これにより、前述のようなドット位置のずれに起因する画像の不具合を低減することができる。
【図面の簡単な説明】
【００４８】
【図１】本発明の実施形態に係る直接転写方式のタンデム型画像形成装置の概略構成を示す図である。
【図２】本実施形態における光書き込み部内部の光学ユニットの概略を示す図で、図１における光書き込み部Ｂを上から見た図である。
【図３】従来技術におけるＬＤの点灯タイミングと画像との関係を示す図である。
【図４】従来技術におけるスキュー補正の状態を示す図である。
【図５】画素クロックの周期内で各ビームの点灯信号の位相をシフトする場合の２ビームと３ビームのデューティに応じた位相シフトの状態を示す図である。
【図６】図５のデューティ３３％のときの位相シフトの状態を示す図である。
【図７】実施例１の制御構成の概略を示す図である。
【図８】実施例２の制御構成の概略を示す図である。
【図９】実施例３における２ビームを有する光源の場合の各ビームの点灯パルス位置を右寄せ及び左寄せにする例を示す図である。
【図１０】実施例３における３ビームを有する光源の場合に、各ビームの点灯パルス位置を右寄せ、中寄せ、左寄せにする例を示す図である。
【図１１】図９あるいは図１０に示した書き込む画素位置の補正制御の制御構成を示す図である。
【図１２】図９あるいは図１０に示した書き込む画素位置の補正制御の制御手順を示す図である。
【符号の説明】
【００４９】
８−１，８−２  光学系
３１，３２，４１，４２  ＬＤユニット
１０１，１１１，１２１，１３１  点灯制御基板
Ｂ  光書き込み部
ＬＤ１，ＬＤ２  光源
【図１】
2009039932.tif 000003
【図２】
2009039932.tif 000004
【図３】
2009039932.tif 000005
【図４】
2009039932.tif 000006
【図５】
2009039932.tif 000007
【図６】
2009039932.tif 000008
【図７】
2009039932.tif 000009
【図８】
2009039932.tif 000010
【図９】
2009039932.tif 000011
【図１０】
2009039932.tif 000012
【図１１】
2009039932.tif 000013
【図１２】
2009039932.tif 000014